(57)【要約】【課題】レンズホルダ（３）に固定されたフォーカスレンズ（４）と支持部（６）に恒久的に接続されたダンパーベース（５）を有する光ディスクのスキャニング装置用のアクチュエータ（１）を提供する。【解決手段】アクチュエータ（１）は、支持部（６）上に、フォーカスレンズ（４）の微細位置決め用コイル及び磁石配列（７）を備える。フレーム（８）は、該配列及びアクチュエータの長手方向の軸（Ｌ）の両側とに配置された、弾性的に柔軟なサスペンション手段（１１）でダンパーベース（５）に接続される。その様に構成されたアクチュエータは、小さな光ディスクにも対しても目的を達成する。このために、レンズホルダ（３）は、長手方向の軸（Ｌ）から離れて、その軸（Ｌ）とは反対で、且つ、アクチュエータ（１）の光ディスク（２）用レセプタクル側に配置される。アクチュエータ（１）を有するスキャニング装置の移動方向（Ｂ）は、長手方向の軸（Ｌ）に対して横方向で、ディスク（２）に対して半径方向に設定される。【選択図】図１
2007149324.tif 000002
【特許請求の範囲】
【請求項１】
レンズホルダ（３）に固定されたフォーカスレンズ（４）と、支持部（６）に恒久的に接続されたダンパーベース（５）と、前記支持部（６）上に配置され、前記フォーカスレンズ（４）の微細な位置決めのためのコイル及び磁石配列の磁石（７）とを備えた、光ディスク（２）をスキャニングするためのスキャニング装置用のアクチュエータ（１）であって、
前記レンズホルダ（３）は、前記コイル及び磁石配列と前記アクチュエータの長手方向の軸（Ｌ）の両側に配置された、弾性的に柔軟なサスペンション手段（１１）を介して前記ダンパーベース（５）に接続され、
前記レンズホルダ（３）は、前記長手方向の軸（Ｌ）から離れて、と同時に、前記アクチュエータ（１）の、前記光ディスク（２）用のレセプタクルと面する側に配置されることを特徴とするアクチュエータ。
【請求項２】
前記レンズホルダ（３）は、前記アクチュエータ（１）の、前記長手方向の軸（Ｌ）の領域に位置する重心（ＳＰ）から、横方向に離れて配置されることを特徴とする請求項１に記載のアクチュエータ。
【請求項３】
前記重心（ＳＰ）を前記長手方向の軸（Ｌ）の領域に位置決めするためのバランスウェイト（１２）は、前記長手方向の軸（Ｌ）の前記レンズホルダ（３）とは反対側に配置されることを特徴とする請求項１又は２に記載のアクチュエータ。
【請求項４】
前記レンズホルダ（３）及び前記バランスウェイト（１２）は、前記コイル及び磁石配列を囲むフレーム（８）に配置されることを特徴とする請求項３に記載のアクチュエータ。
【請求項５】
前記レンズホルダ（３）、前記バランスウェイト（１２）及び前記フレーム（８）は、１つの部品に組み立てられることを特徴とする請求項４に記載のアクチュエータ。
【請求項６】
前記フレーム（８）は、前記レンズホルダ（３）のための前記サスペンション手段（１１）に接続されることを特徴とする請求項４又は５に記載のアクチュエータ。
【請求項７】
前記アクチュエータ（１）は、光ハウジングとともに、長手方向の軸（Ｌ）に対して横方向に動くスキャニング装置を形成することを特徴とする請求項１から６のいずれか１項に記載のアクチュエータ。
【請求項８】
請求項１から７のいずれか１項に記載のアクチュエータと、該アクチュエータによって形成されるスキャニング装置とを有することを特徴とする光記憶媒体の記録及び／又は再生装置。
【発明の詳細な説明】
【技術分野】
【０００１】
本発明は、光ディスクをスキャニングするためのスキャニング装置、詳細には、情報を記録する及び／又は再生するための装置用のアクチュエータに関する。
【背景技術】
【０００２】
スキャニング装置に搭載されたアクチュエータは、情報媒体として構成された光ディスク上へレーザービームを放射し、ディスクから反射されたビームを受けるために用いられる。この目的のために、アクチュエータはフォーカスレンズを有し、フォーカスレンズを調整可能なように、支持部によって、光ハウジングに取り付けられる。この光ハウジングはピックアップとしても知られ、フォーカスレンズをハウジングの光経路と一直線に並ぶようにするため、ガイドロッド上を動くことができる。このハウジング、従ってスキャニング装置全体は、モータによって、高速度且つ正確な位置決めで動くことができ、情報媒体上の異なる位置への短時間でのアクセスを保証する。この構成において、スキャニング装置は、放射ビームを収束させて、情報媒体上のスキャニングされるトラック上に放射点をつくる。この放射点は、記録又は再生の間、回転する情報媒体のトラックを追従する。これは、トラック制御システムによって行われ、そのシステムは、キャリッジのようなハウジング及びアクチュエータのディスクの半径方向の粗制御、及び、アクチュエータの微調整を提供する。アクチュエータは、好ましくは、光ハウジングの支持プレートに取り付けられ、フォーカスレンズ用のレンズホルダと、支持プレートに固定して接続されたダンパーベースと、フォーカス及びトラック誘導コイルとを有し、レンズホルダは、弾性的に柔軟なサスペンション手段、詳細にはワイヤによって、ダンパーベースに弾性的に接続される。
【０００３】
特許文献１で開示されているように、アクチュエータは通常、光ハウジングの移動の方向に対し対称に構成される。この構成では、レンズホルダは、コイル配列のダンパーベースとは反対側に配置される。コイル配列は、フォーカス及びトラック誘導コイル、及びチルトコイルを備え、磁石間に位置し、好ましくは、その中心はアクチュエータの重心に置かれる。レンズホルダのための弾性的に柔軟なサスペンションワイヤは、レンズホルダ及びダンパーベースによって定められる長手方向の軸の両側に配置され、その長手方向の軸は同時に対称軸である。従ってレンズホルダは、アクチュエータの正面に位置し、光ディスクに対して半径方向に、長手方向の軸に垂直に、光ディスクに向かって及び光ディスクから離れるように動く。
【０００４】
特許文献２で示される構成において、基本的に同様に構成されたアクチュエータは、その長手方向の軸に対して横方向に、と同時に光ディスクに対して半径方向に、光ハウジングとともに動く。
【０００５】
アクチュエータの中心でのこれらのレンズホルダ配置において欠点とされることは、アクチュエータ、詳細にはレンズが、各光ディスクの中心に十分に近づくことができないということであり、このことは、小さなディスク、例えば３０ｍｍの大きさのオーダの直径を有する硬貨サイズのディスクをスキャニングするのに極めて必要なことである。
【特許文献１】欧州特許出願公開第１３９４７８３号明細書
【特許文献２】欧州特許第０６１８５７０号明細書
【発明の開示】
【発明が解決しようとする課題】
【０００６】
本発明の目的は、小さな光ディスクにも適するような方法でアクチュエータを構成することにある。
【課題を解決するための手段】
【０００７】
本発明によると、この目的は、レンズホルダが、長手方向の軸から離れて、と同時に、アクチュエータの光ディスク用のレセプタクルと面する側に配置されることで達成される。好ましい実施形態は、従属請求項に挙げられている。
【０００８】
本発明によると、長手方向の軸の両側に、弾性的に柔軟なサスペンション手段でダンパーベースに接続され、レンズホルダを有する、光ディスクをスキャニングするための装置用のアクチュエータにおいて、レンズホルダは、長手方向の軸から離れて、光ディスクの中心と面するサスペンション手段の側に配置される。この、アクチュエータサスペンションの外側のレンズホルダの非対称な配列により、レンズホルダに保持されたフォーカスレンズを、小さい光ディスクであってもその中心へ非常に近づけることができるので、ディスクの情報トラックの内側領域でさえ、収束されたレーザービームでスキャニングすることができる。
【０００９】
アクチュエータの重心が、コイル及び磁石配列の中心と一致し、と同時に長手方向の軸上でのフォーカスレンズの微細な調整を容易にするために、フォーカスレンズを有するレンズホルダは、長手方向の軸上に与えられた中心から横方向に離れて配置され、その長手方向の軸及び中心の他方の側でバランスウェイトに接続される。
【００１０】
この構成は、レンズホルダ及びバランスウェイトを、コイル及び磁石配列を囲むフレームに配置し、それらをフレームと一体の部品として実装するに適している。これにより、部品数を減らし、組立コストを抑えることができる。レンズホルダ用の弾性サスペンション手段、詳細にはワイヤは、このフレームに接続することができる。
【００１１】
アクチュエータは、好ましくは、スキャニング装置が光ディスクに対して半径方向に動き、アクチュエータの長手方向の軸に対して横方向に動くように、スキャニング装置の光ハウジング上に配置される。
【００１２】
本発明は、１つの実施形態を参照し、以下で説明される。
【発明を実施するための最良の形態】
【００１３】
図１に示されている光ディスク２をスキャニングするためのアクチュエータ１は、ここには詳細には示されていないスキャニング装置の部品であり、レンズホルダ３に保持されるフォーカスレンズ４と、ダンパーベース５とを有する。ダンパーベース５は、スキャニング装置の光ハウジング上にアクチュエータ１を配置するための支持プレート６を備え、その支持プレート６は、光ハウジングとは反対側に、既知の方法でコイル及び磁石配列の磁石７を保持し、また、フォーカスレンズ４の微細な位置決めを行うために、フォーカス、トラック誘導及びチルトコイルを備える。このコイル及び磁石配置は、その配置に対して対称に配置されたフレーム８によって囲まれる。そのフレーム８は、アクチュエータ１の中央に配置された長手方向の軸Ｌと平行に延びる２つの側壁９及び１０のそれぞれの外側に、２つの弾性的に柔軟なサスペンションワイヤ１１で、ダンパーベース５に接続される。
【００１４】
フレーム８のディスクに面する側の側壁９の外側で、レンズホルダ３が１つの部品に成形され、ディスク２とは反対側の壁１０の外側で、バランスウェイト１２が１つの部品に成形されている。それらはそれぞれ、長手方向の軸Ｌに対して横方向に延びる対称軸Ｓに関して対称に構成されている。対称軸Ｓは、アクチュエータ１の長手方向の軸Ｌと、質量の中心すなわち重心ＳＰで交差する。フォーカスレンズ４を有するレンズホルダ３は、ディスク２のためのレセプタクル装置に面している側、従ってアクチュエータ１のディスク側に配置され、情報トラックからの垂直距離を位置決めするために、対称軸Ｓに沿って、従って長手方向の軸Ｌに対して横方向に、ディスク２に向かう及びそれに対応してディスク２から離れる半径方向（矢印Ｂ方向）に動く。
【００１５】
図２及び３において、アクチュエータ１は、２つの斜視図で示されている。これらの図は、フォーカスレンズ４及びバランスウェイト１２の構成及び配列を示すよう意図されたものである。図２は、詳細には、バランスウェイト１２が、該バランスウェイト側のフレーム８とかみ合う２つのサスペンションワイヤ１１の間に突き出ていることを示している。他方、レンズホルダ３は、ディスクに面する側の側壁９にわたって、ディスクに面する側の側壁９及びサスペンションワイヤ１１の上方で、支持プレート６に垂直に突き出ており、支持プレート６に平行に外側に向かって曲がっている。従って、フォーカスレンズ４は、アクチュエータ１から、スキャニングされるディスク２の中心に向かう方向と、コイル及び磁石配列の上部に向かう方向の両方に突き出ており、ディスク２の中心Ｚの近くの情報トラックの上方への位置決めの間、アクチュエータ１の残りのコンポーネントによって邪魔されない。
【００１６】
図１から３で示されるフレーム８及び側壁９、１０を有するアクチュエータ１の構成の代替案としての実施形態において、アクチュエータ１の中心部分は、コイル及び磁石配列のコイルに平行に配置されているプリント回路基板のみからなり、レンズホルダ３及びバランスウェイト１２は、この回路基板の反対の端に取り付けられる。そのような配置は、好ましくは、質量が削減され、従って削減された慣性モーメントをもつ。
【図面の簡単な説明】
【００１７】
【図１】本発明によるアクチュエータの上面図である。
【図２】図１のアクチュエータの斜視図である。
【図３】図１のアクチュエータの更なる斜視図である。
【符号の説明】
【００１８】
１  アクチュエータ
２  光ディスク
３  レンズホルダ
４  フォーカスレンズ
５  ダンパーベース
６  支持プレート
７  コイル及び磁石配列
８  フレーム
９、１０  側壁
１１  サスペンションワイヤ
１２  バランスウェイト
Ｚ  ディスクの中心
Ｌ  長手方向の軸
Ｓ  対称軸
Ｂ  スキャニング装置の運動の方向
【図１】
2007149324.tif 000003
【図２】
2007149324.tif 000004
【図３】
2007149324.tif 000005
【外国語明細書】
2007149324.tif 000006
2007149324.tif 000007
2007149324.tif 000008
2007149324.tif 000009
2007149324.tif 000010
2007149324.tif 000011
2007149324.tif 000012
2007149324.tif 000013
2007149324.tif 000014
2007149324.tif 000015
2007149324.tif 000016